(57)【要約】      （修正有）【課題】製造工程の簡略化、製造コストの低減、起動の信頼性向上を実現する簡単な構造の単相モータ及びヘアドライヤを提供する。【解決手段】単相モータは、ステータ２０及びロータ５０を含む。ステータ２０は、ステータコア及びステータ巻線を含む。前記ステータコアは、外側リング部と、前記外側リング部から内方に延在する歯と、各歯の末端から延在する２つの磁極片とを含む。各２つの隣接する歯の間に、巻線スロットが形成される。スロット開口部が、前記隣接する歯の前記磁極片の間に配設され、前記２つの隣接する歯の１つからオフセットされる。給気装置は、前記単相モータ及びインペラを含む。モータの起動角及びコギングトルクは、スロット開口部の位置／幅を調整することによって、調整可能であり、磁極片に、追加の位置決めスロット又は位置決め穴を形成する必要はなく、これにより、モータの構造が簡単になる。【選択図】図１
0003207419.tif 000002
【実用新案登録請求の範囲】
【請求項１】
外側リング部と、前記外側リング部から内方に延在する複数の歯とを備えるステータコアと、前記ステータコアの周りに巻き付けられるステータ巻線とを備えるステータと、
前記ステータに対して相対的に回転可能であり、複数のロータ磁極を備えるロータと、を備え、
前記ステータの各歯は、前記外側リング部から内方に延在する歯本体と、前記歯本体の末端から前記ロータの２つの互いに反対の周方向にそれぞれ延在し、前記ロータに対向する２つの磁極片とを備え、前記２つの磁極片は、前記歯本体の中心線に関して非対称であり、前記ステータ巻線が付勢されていないとき、前記ロータは、初期位置に停止することができるようになっており、前記初期位置では、各ロータ磁極の中心線は、対応する歯本体の中心線からそれることを特徴とする単相モータ。
【請求項２】
２つの隣接する歯の隣接する磁極片は、スロット開口部によって互いに離間されるか、又は磁気ブリッジを介して互いに連結され、前記スロット開口部又は前記磁気ブリッジの中心は、前記２つの隣接する歯の対称中心からオフセットされることを特徴とする、請求項１に記載の単相モータ。
【請求項３】
前記磁極片の内周面は、前記ロータと同軸であり、前記ロータ磁極の外周面と前記磁極片の内周面との間に、実質的に均一な厚さを有する空隙が形成されるようになっていることを特徴とする、請求項１に記載の単相モータ。
【請求項４】
２つの隣接する歯の隣接する磁極片は、スロット開口部によって互いに離間され、前記スロット開口部は、前記空隙の厚さの４倍以下の幅を有することを特徴とする、請求項３に記載の単相モータ。
【請求項５】
２つの隣接する歯の隣接する磁極片は、スロット開口部によって互いに離間され、前記スロット開口部は、前記空隙の厚さの２倍以下の最小幅を有することを特徴とする、請求項３に記載の単相モータ。
【請求項６】
前記磁極片は、前記歯本体から遠ざかる方向に徐々に小さくなる半径方向の厚さを有することを特徴とする、請求項１に記載の単相モータ。
【請求項７】
２つの隣接する歯の隣接する磁極片は、スロット開口部によって互いに離間され、各歯の前記２つの磁極片は、短い磁極片及び長い磁極片を含み、前記短い磁極片の内面は、前記スロット開口部に隣接する斜切面を形成することを特徴とする、請求項１に記載の単相モータ。
【請求項８】
前記スロット開口部又は前記磁気ブリッジの中心は、２つの隣接する歯の対称中心から、４５度〜１３５度の電気角だけオフセットされることを特徴とする、請求項２に記載の単相モータ。
【請求項９】
前記歯及び前記外側リング部は、別個に形成され、２つの隣接する歯の隣接する磁極片は、磁気ブリッジを介して互いに連結されることを特徴とする、請求項１に記載の単相モータ。
【請求項１０】
前記ロータ磁極の外周面と前記ロータの中心軸との間の距離は、前記外周面の中心部から前記外周面の端部まで小さくなることを特徴とする、請求項１に記載の単相モータ。
【請求項１１】
前記磁極の外周面は、前記磁極の半径方向中央線に関して対称であることを特徴とする、請求項１０に記載の単相モータ。
【請求項１２】
筐体と、前記筐体の内部に配設される、発熱装置、給気装置、及び制御装置とを備えるヘアドライヤであって、前記給気装置は、単相モータと、前記単相モータによって駆動されるインペラとを備え、前記単相モータは、
外側リング部と、前記外側リング部から内方に延在する複数の歯とを備えるステータコアと、前記ステータコアの周りに巻き付けられるステータ巻線とを備えるステータと、
前記ステータに対して相対的に回転可能であり、複数のロータ磁極を備えるロータと、を備え、
各歯は、前記外側リング部から内方に延在する歯本体と、前記歯本体の末端から前記ロータの２つの互いに反対の周方向にそれぞれ延在する大きい磁極片及び小さい磁極片とを備え、前記磁極片は、前記ロータ磁極に対向し、両者間に空隙が形成されていることを特徴とするヘアドライヤ。
【請求項１３】
２つの隣接する歯の隣接する磁極片は、スロット開口部によって互いに離間されるか、又は磁気ブリッジを介して互いに連結され、前記スロット開口部又は前記磁気ブリッジの中心は、前記２つの隣接する歯の対称中心からオフセットされて、前記ステータ巻線が付勢されていないとき、前記ロータは、初期位置に停止することができるようになっており、前記初期位置では、各ロータ磁極の中心線は、対応する歯本体の中心線からそれることを特徴とする、請求項１２に記載のヘアドライヤ。
【請求項１４】
２つの隣接する歯の隣接する磁極片は、スロット開口部によって互いに離間され、前記小さい磁極片の内面は、前記スロット開口部に隣接する斜切面を形成することを特徴とする、請求項１２に記載のヘアドライヤ。
【請求項１５】
前記給気装置は、更に、モータホルダ及びモータカバーを含み、前記モータホルダは、開口部が形成された一端を有する円筒形状を有し、前記モータホルダの側壁には、複数の第１の開口が形成され、前記単相モータは、前記モータホルダ内に固定され、前記単相モータの電力出力端は、前記モータホルダの閉塞端に配設され、前記モータカバーは、中空円筒体状の一端を含み、前記モータカバーの他端は、前記モータホルダの前記開口部に連結され、前記モータホルダと協働して、ヘルムホルツ共振空胴を形成し、前記モータカバーには、複数の第２の開口が形成されることを特徴とする、請求項１２に記載のヘアドライヤ。
【請求項１６】
前記単相モータは、単相永久磁石直流ブラシレスモータであることを特徴とする、請求項１２に記載のヘアドライヤ。
【考案の詳細な説明】
【技術分野】
【０００１】
[0002]
本考案は、単相永久磁石モータに関し、特に、均一な空隙を有する単相永久磁石モータ及びこのモータを用いるヘアドライヤに関する。
【背景技術】
【０００２】
[0003]
単相永久磁石モータは、ステータ及びロータを含む。ステータは、ステータコアと、ステータコアの周りに巻き付けられるステータ巻線とを含む。ステータコアは、ロータの周囲を取り囲む磁極片を含む。磁極片及びロータは、両者間に空隙を形成して、ロータは、ステータに対して相対的に回転することができる。
【０００３】
[0004]
従来、単相永久磁石モータの起動の死点を回避するため、空隙は、多くの場合、不均一な空隙であるように構成されるか、又は、磁極片に、位置決め穴又は位置決めスロットが形成される。しかしながら、不均一な空隙によって、騒音が過度に大きくなり、性能安定性が悪化する場合がある。位置決め穴又は位置決めスロットの存在によって、ステータコアを更に処理する必要があるので、製造工程の複雑化及び製造コストの増加を招く。
【考案の概要】
【課題を解決するための手段】
【０００４】
[0005]
一態様において、単相モータを提供するものであり、この単相モータは、ステータと、前記ステータに対して相対的に回転可能なロータとを含む。前記ステータは、ステータコアと、前記ステータコアの周りに巻き付けられるステータ巻線とを含む。前記ステータコアは、外側リング部と、前記外側リング部から内方に延在する複数の歯とを備える。前記ロータは、複数のロータ磁極を備える。前記ステータの各歯は、前記外側リング部から内方に延在する歯本体と、前記歯本体の末端から前記ロータの２つの互いに反対の周方向にそれぞれ延在し、前記ロータに対向する２つの磁極片とを備え、前記２つの磁極片は、前記歯本体の中心線に関して非対称であり、前記ステータ巻線が付勢されていないとき、前記ロータは、初期位置に停止することができるようになっており、前記初期位置では、各ロータ磁極の中心線は、対応する歯本体の中心線からそれる。
【０００５】
[0006]
２つの隣接する歯の隣接する磁極片は、スロット開口部によって互いに離間されるか、又は磁気ブリッジを介して互いに連結され、前記スロット開口部又は前記磁気ブリッジの中心は、前記２つの隣接する歯の対称中心からオフセットされることが好ましい。
【０００６】
[0007]
前記磁極片の内周面は、前記ロータと同軸であり、前記ロータの外周面と前記磁極片の内周面との間に、実質的に均一な厚さを有する空隙が形成されるようになっていることが好ましい。
【０００７】
[0008]
隣接する歯の前記磁極片は、スロット開口部によって互いに離間され、前記スロット開口部は、前記空隙の実質的に均一な厚さの４倍以下の幅を有することが好ましい。
【０００８】
[0009]
前記スロット開口部は、前記空隙の実質的に均一な厚さの２倍以下の最小幅を有することが好ましい。
【０００９】
[0010]
前記磁極片は、前記歯本体から遠ざかる方向に徐々に小さくなる半径方向の厚さを有することが好ましい。
【００１０】
[0011]
２つの隣接する歯の隣接する磁極片は、スロット開口部によって互いに離間され、各歯の前記２つの磁極片の短い方の磁極片の内面は、前記スロット開口部に隣接する斜切面を形成することが好ましい。
【００１１】
[0012]
前記ステータコアは、前記ステータの周方向に沿って、複数のステータコアユニットを接合することによって、形成され、前記ステータコアユニットの各々は、磁極片を有する歯と、前記歯に連結されるヨークセグメントとを備え、隣接する前記ステータコアユニットの前記ヨークセグメントは、互いに連結されて、前記ステータコアの前記外側リング部を形成することが好ましい。
【００１２】
[0013]
前記隣接するステータコアユニットの前記ヨークセグメントの接合面は、平面又は凹部−突出部係合面であることが好ましい。
【００１３】
[0014]
前記各ステータコアユニットごとに、前記歯の一端は、前記ヨークセグメントの一端に連結されるか、又は前記ヨークセグメントの２つの端部の間において前記ヨークセグメントに連結されることが好ましい。
【００１４】
[0015]
前記スロット開口部又は前記磁気ブリッジの中心は、２つの隣接する歯の対称中心から、４５度〜１３５度の電気角だけオフセットされることが好ましい。
【００１５】
[0016]
前記歯及び前記外側リング部は、別個に形成され、２つの隣接する歯の隣接する磁極片は、磁気ブリッジを介して互いに連結されることが好ましい。
【００１６】
[0017]
前記磁極の外周面と前記ロータの中心軸との間の距離は、前記外周面の中心部から前記外周面の端部まで小さくなることが好ましい。
【００１７】
[0018]
前記磁極の外周面は、前記磁極の半径方向中央線に関して対称であることが好ましい。
【００１８】
[0019]
別の態様において、ヘアドライヤを提供するものであり、このヘアドライヤは、筐体と、前記筐体の内部に配設される、発熱装置、給気装置、及び制御回路とを含む。前記給気装置は、単相モータと、前記単相モータによって駆動されるインペラとを含む。前記単相モータは、ステータと、前記ステータに対して相対的に回転可能なロータとを備える。前記ステータは、外側リング部と、前記外側リング部から内方に延在する複数の歯とを備えるステータコアと、前記ステータコアの周りに巻き付けられるステータ巻線とを備える。前記ロータは、複数のロータ磁極を備える。各歯は、前記外側リング部から内方に延在する歯本体と、前記歯本体の末端から前記ロータの２つの互いに反対の周方向にそれぞれ延在する大きい磁極片及び小さい磁極片とを備え、前記磁極片は、前記ロータ磁極に対向し、両者間に空隙が形成されている。
【００１９】
[0020]
２つの隣接する歯の隣接する磁極片は、スロット開口部によって互いに離間されるか、又は磁気ブリッジを介して互いに連結され、前記スロット開口部又は前記磁気ブリッジの中心は、前記２つの隣接する歯の対称中心からオフセットされて、前記ステータ巻線が付勢されていないとき、前記ロータは、初期位置に停止することができるようになっており、前記初期位置では、各ロータ磁極の中心線は、対応する歯本体の中心線からそれることが好ましい。
【００２０】
[0021]
２つの隣接する歯の隣接する磁極片は、スロット開口部によって互いに離間され、前記小さい磁極片の内面は、前記スロット開口部に隣接する斜切面を形成することが好ましい。
【００２１】
[0022]
好ましくは、前記給気装置は、更に、モータホルダ及びモータカバーを含む。前記モータホルダは、開口部が形成された一端を有する円筒形状を有する。前記モータホルダの側壁には、複数の第１の開口が形成される。前記単相モータは、前記モータホルダ内に固定され、前記単相モータの電力出力端は、前記モータホルダの閉塞端に配設される。前記モータカバーは、中空円筒体状の一端を含み、前記モータカバーの他端は、前記モータホルダの前記開口部に連結され、前記モータホルダと協働して、ヘルムホルツ共振空胴を形成する。前記モータカバーには、複数の第２の開口が形成される。
【００２２】
[0023]
本考案の単相永久磁石モータでは、モータの起動角及びコギングトルクは、スロット開口部の位置／形状を調整することによって、調整可能であり、磁極片の内面に、追加の位置決めスロット又は位置決め穴を形成する必要はない。これにより、製造工程を簡略化し、製造コストを低減し、且つモータの起動の信頼性を向上させる。
【図面の簡単な説明】
【００２３】
【図１】本考案の好ましい実施形態による単相永久磁石モータを示す図である。
【図２】外部ハウジングを取り外した状態の、図１の単相永久磁石モータを示す図である。
【図３】外部ハウジング、ステータ巻線、及びロータの回転軸を取り外した状態の、図１の単相永久磁石モータを示す図である。
【図４】図１の単相永久磁石モータのステータコアを示す図である。
【図５】図１の単相永久磁石モータのロータコア及びその永久磁極を示す図である。
【図６】本考案の単相永久磁石モータのロータの永久磁極の磁力線分布を示す図である。
【図７】本考案の第２の実施形態による単相永久磁石モータのステータコアを示す図である。
【図８】本考案の第２の実施形態によるロータコア及びその永久磁石を示す図である。
【図９】本考案の第３の実施形態による単相永久磁石モータのステータコアを示す図である。
【図１０】本考案の第４の実施形態による単相永久磁石モータのステータコアを示す図である。
【図１１】本考案の第５の実施形態による単相永久磁石モータのステータコアを示す図である。
【図１２】ロータの別の代替実施形態を示す例示詳細図である。
【図１３】本考案の好ましい実施形態によるヘアドライヤを示す図である。
【図１４】図１３のヘアドライヤの分解図である。
【図１５】図１３のヘアドライヤの一部の構造を示す図である。
【考案を実施するための形態】
【００２４】
[0039]
各図は、縮尺通りではなく、図全体を通して、例示の目的で、同様の構造又は機能の要素は、概して、同じ符号で表記される点に留意されたい。また、各図は、好ましい実施形態の説明を容易にすることを意図するものにすぎない点にも留意すべきである。各図は、説明された実施形態の全ての態様を示すものではなく、本開示の範囲を限定するものではない。
【００２５】
（第１の実施形態）
[0040]
図１〜図５を参照すると、本考案の好ましい実施形態による単相モータ１０は、ステータ２０と、ステータ２０に対して相対的に回転可能なロータ５０とを含む。単相モータ１０は、好ましくは、単相永久磁石直流ブラシレスモータである。
【００２６】
[0041]
ステータ２０は、１つの開口端を有する円筒形の外部ハウジング２１と、外部ハウジング２１の開口端に取り付けられるエンドキャップ２３と、外部ハウジング２１内に取り付けられるステータコア３０と、ステータコア３０に取り付けられる絶縁ブラケット４０と、ステータコア３０の周りに巻き付けられ、絶縁ブラケット４０によって支持されるステータ巻線３９とを含む。ステータコア３０は、外側リング部３１と、外側リング部３１から内方に延在する複数の歯３３とを含む。各歯３３は、外側リング部３１に連結される歯本体３４と、各歯３３の歯本体３４の半径方向内端から２つの周方向側にそれぞれ延在する２つの磁極片３５とを備える。好ましくは、ステータ巻線３９は、それぞれの歯３３の歯本体の周りに巻き付けられる。代替例として、ステータ巻線３９は、外側リング部３１の周りに巻き付けることができる。各２つの隣接する歯３３の間に、巻線スロットが形成され、２つの隣接する歯３３の磁極片３５の間に、巻線スロットのスロット開口部３７が形成される。スロット開口部３７は、２つの隣接する歯の間の中央位置からオフセットされて、歯の端部に形成される２つの磁極片３５は、歯本体３４の半径方向中央線に関して非対称であることによって、断面積が大きい一方の磁極片及び断面積が小さい他方の磁極片を形成する。
【００２７】
[0042]
ステータコア３０は、磁気伝導性材料からなる。例えば、ステータコア３０は、モータの軸方向に沿って、磁性ラミネーション（工業において一般的に用いられるシリコンラミネーション）を積層することによって、形成される。ステータコア３０の歯３３は、モータの周方向に沿って、間隔をおいて均等に配置されることが好ましい。各歯本体３４は、外側リング部３１から実質的に半径方向内方に延在する。磁極片３５は、１つの対応する歯本体３４の半径方向内端から２つの周方向側に延在する。
【００２８】
[0043]
磁極片３５は、歯本体３４からスロット開口部３７に向かう方向に徐々に小さくなる半径方向の厚さを有し、磁極片３５の磁気抵抗が、歯本体３４からスロット開口部３７に向かう方向に徐々に大きくなることが好ましい。
【００２９】
[0044]
ロータ５０は、歯３３の磁極片３５が協働して形成する空間に収容される。ロータ５０は、ロータの周方向に沿って配設される複数の永久磁極５５を含む。各永久磁極５５の外周面は、磁極片３５の内周面と同心であり、ロータの外周面と磁極片との間に、実質的に均一な空隙４１（図３参照）が形成されるようになっている。具体的には、半径方向断面視において、磁極片の内面は、ロータ５０の中心を中心とする円上に位置し、永久磁極５５の外面は、ロータ５０の中心を中心とする円上に位置する。すなわち、磁極片３５の内周面及び永久磁極５５の外周面は、互いに同心であり、磁極片の内周面と永久磁極５５の外周面との間に、実質的に均一な空隙が形成されるようになっている。好ましくは、スロット開口部３７は、０よりも大きく、且つ均一な空隙４１の厚さの４倍以下の幅を有する。より好ましくは、巻線スロットのスロット開口部３７の最小幅は、空隙４１の厚さの３倍以下であり、更に好ましくは、空隙４１の厚さの２倍以下である。この構成によって、ロータの起動及び回転を円滑化し、モータの起動の信頼性を向上させ、ロータが起動の死点に停止するのを回避することができる。本開示でいうリング部とは、周方向に沿って連続的に延在することによって形成される密閉構造を指し、これは、円形リング部、四角形リング部、又は多角形リング部を含む。均一な空隙４１の厚さとは、空隙の半径方向の厚さをいう。
【００３０】
[0045]
図５に示すように、永久磁極５５は、１つのリング永久磁石によって形成することができる。永久磁極５５は、図８に示すように、多数の個別の永久磁石によって形成することもできることを理解されたい。ロータ５０は、更に、リング永久磁石５５を貫通する回転軸５１を含む。回転軸５１の一端は、軸受２４を介して、ステータのエンドキャップ２３に取り付けられ、他端は、別の軸受を介して、ステータの円筒形の外部ハウジング２１の底部に取り付けられて、ロータは、ステータに対して相対的に回転することができるようになっている。
【００３１】
[0046]
この実施形態では、ロータ５０は、更に、ロータコア５３を含み、回転軸５１は、ロータコア５３の中心を貫通し、これに固定される。永久磁石は、ロータコア５３の外周面に取り付けられる。ロータコアの外周面には、複数の軸方向に延在する溝５４が形成される。各溝５４は、２つの隣接する永久磁極の接合部に配設されて、磁気漏れを低減する。
【００３２】
[0047]
この実施形態では、スロット開口部３７は、２つの隣接する歯の間の中央位置からオフセットされる。すなわち、スロット開口部３７は、２つの隣接する歯本体から、それぞれ異なる距離だけ離間される。したがって、各歯本体の末端から周方向側に延在する２つの磁極片は、異なる周方向の長さを有する。この構成によって、ロータの初期位置を、死点からオフセットさせることができる。短い方の磁極片３５の内面は、スロット開口部３７に隣接する斜切面３８を形成することが好ましい。斜切面３８が存在することによって、短い方の磁極片の面積を更に小さくすることができ、これにより、２つの磁極片間の不均一度が更に増すので、ロータの初期位置は、更に、死点からオフセットされる。
【００３３】
[0048]
図６は、ステータ巻線が付勢されていないとき、すなわち、初期位置における、ロータの永久磁極の磁束分布を示す。図６に示すように、ロータは、４つの永久磁極を含み、Ｎ極性及びＳ極性が、交互に配置されている。ステータは、４つのステータ極を形成する４つの歯を含む。図６から分かるように、モータが初期位置にあるとき、面積が大きい方の磁極片を通る磁束は、面積が小さい方の磁極片を通る磁束よりも明らかに多い。ロータの磁極の半径方向中央線Ｌ１は、ステータ極の半径方向中央線Ｌ２から、或る角度だけオフセットされ、半径方向中央線Ｌ１と半径方向中央線Ｌ２との間に形成される角度Ｑは、起動角という。この実施形態では、起動角は、電気角が４５度よりも大きく、且つ電気角が１３５度よりも小さい。モータのステータ巻線に、１方向の電流を供給すると、ロータ５０を、１方向に沿って始動させることができる。モータのステータ巻線に、反対方向の電流を供給すると、ロータ５０を、反対方向に沿って始動させることができる。起動角が９０度の電気角の場合、ロータ５０を、両方向に容易に始動させることができる、すなわち、両方向の起動を最も容易に行える角度であることを理解されたい。起動角が９０度の電気角からオフセットされると、ロータは、反対方向よりも１方向に始動し易くなる。多くの実験から、起動角が４５度〜１３５度の電気角の範囲内にあるとき、ロータの両方向の起動の信頼性は良好であることが分かった。
【００３４】
（第２の実施形態）
[0049]
図７を参照すると、第１の実施形態とは異なり、ステータ巻線３９の巻線効率を上げるため、第２の実施形態のステータコアは、ステータの周方向に沿って接合される複数のステータコアユニット３００を含む。各ステータコアユニット３００は、磁極片３０５を有する歯３０３と、歯３０３と一体に連結されるヨークセグメント３０１とを含む。隣接するステータコアユニットのヨークセグメント３０１は、互いに連結されて、ステータコアの外側リング部を形成する。各ステータコアユニットは、複数の歯３０３と、対応する磁極片３０５とを含むこともできることを理解されたい。全てのステータコアユニットの巻き付け工程が完了した後、ステータコアユニット３００を接合することにより、ステータ巻線を有するステータコアが得られる。この実施形態では、各ステータコアユニット３００は、１つの歯３０３と、その対応する磁極片３０５とを含み、各ステータコアユニット３００では、歯３０３の一端は、ヨークセグメント３０１の２つの端部の間において、ヨークセグメント３０１に連結される。
【００３５】
[0050]
この実施形態では、隣接するステータコアユニットのヨークセグメント３０１は、溶接によって、及び／又は、従来の機械的連結構造を介して、互いに固定結合することができる。図７は、凹部３０２に係合される突出部３０４を含む例示的な機械的連結構造を示す。具体的には、外側リング部の各ヨークセグメント３０１は、その一端に形成される凹部３０２と、他端の突出部３０４とを有する。各セグメント３０１の突出部３０４は、対応する、隣接するセグメント３０１の凹部３０２に係合される。
【００３６】
[0051]
多数のステータコアユニット３００を接合することによって、ステータコアが形成されるので、隣接する磁極片３０５の間のスロット開口部は、非常に小さい幅を有することができる。スロット開口部の最小幅は、０よりも大きく、且つ空隙の最小厚さの３倍以下であることが好ましい。巻線スロットのスロット開口部の最小幅は、０よりも大きく、且つ空隙の最小厚さの２倍以下であることがより好ましい。この実施形態では、スロット開口部の幅とは、２つの隣接する磁極片３０５の間の距離をいう。
【００３７】
[0052]
図８を参照すると、この実施形態のロータ６０は、ロータコア６３と、ロータコア６３の周方向に沿って配置される永久磁極６５とを含む。永久磁極６５は、複数の永久磁石６６、例えば、４つの永久磁石によって形成される。永久磁石６６は、ロータコア６３の外周面に取り付けられる。同様に、ロータコア６３の外周面には、複数の軸方向に延在する溝６４が形成される。各溝６４は、隣接する２つの永久磁石６６の接合部に配設されて、磁気漏れを低減する。この場合、磁極片の内周面は、ロータ６０の中心を中心とする円上に位置し、永久磁石６６の外面は、協働して、円筒面を形成することにより、磁極片と永久磁石との間に、均一な空隙を形成する。
【００３８】
（第３の実施形態）
[0053]
図９を参照すると、この実施形態では、ステータコアは、ステータの周方向に沿って接合される複数のステータコアユニット３１０を含む。各ステータコアユニット３１０は、磁極片３１５を有する歯３１３と、歯３１３と一体に連結されるヨークセグメント３１１とを含む。隣接するステータコアユニットのヨークセグメント３１１は、互いに連結されて、ステータコアの外側リング部を形成する。各ステータコアユニットは、複数の歯３１３と、対応する磁極片３１５とを含むこともできることを理解されたい。全てのステータコアユニットの巻き付け工程が完了した後、ステータコアユニット３１０を接合することにより、ステータ巻線を有するステータコアが得られる。この実施形態では、各ステータコアユニット３１０は、１つの歯３１３と、その対応する磁極片３１５とを含み、各ステータコアユニット３１０では、歯３１３の一端は、ヨークセグメント３１１の２つの端部の間において、ヨークセグメント３１１に連結される。
【００３９】
[0054]
この実施形態では、隣接するステータコアユニットのヨークセグメント３１１の接合面は、平面であり、隣接するヨークセグメント３１１は、溶接によって、又は他の方法で、互いに直接組み付けることができる。隣接する円弧状のヨークセグメント間のより良好な突合せ接触を行うため、隣接するステータコアユニットのヨークセグメント３１１の端部には、相互係合斜切面が設けられることが好ましい。具体的には、各ステータコアユニットのヨークセグメントの２つの端部には、それぞれ、互いに近接している第１の斜切面３１２及び第２の斜切面３１４が設けられる。
【００４０】
[0055]
多数のステータコアユニット３１０を接合することによって、ステータコアが形成されるので、隣接する磁極片３１５の間のスロット開口部は、非常に小さい幅を有することができる。巻線スロットのスロット開口部の最小幅は、０よりも大きく、且つ空隙の最小厚さの３倍又は２倍以下であることが好ましい。
【００４１】
[0056]
本考案の単相永久磁石モータでは、巻線スロットは、２つの隣接する歯の間に形成され、スロット開口部は、２つの隣接する歯の磁極片の間に位置し、２つの歯の一方に近づいている。したがって、スロット開口部の位置及び幅を調整することによって、単相永久磁石モータの起動に必要な起動角及びコギングトルクを調整することができ、追加の位置決めスロット又は位置決め穴は必要ない。例えば、起動角は、一方の歯からのスロット開口部のオフセットの度合いを調整することによって、調整される。起動角が４５度〜１３５度の電気角の範囲内にあるとき、モータのロータを、両方向に始動させることができ、これにより、起動に信頼性がもたらされる。
【００４２】
（第４の実施形態）
[0057]
図１０を参照すると、同様に、この実施形態のステータコアは、ステータ巻線の巻線効率を上げるため、分離型構造を有する。具体的には、歯３２３及び関連する磁極片３２５は、一体に形成されて、１つの一体構造になるが、一方、歯３２３及び外側リング部３２１は、別個の構造である。すなわち、外側リング部３２１及び歯３２３は、別個に形成され、その後、互いに組み付けられる。歯３２３及び外側リング部３２１の接合面は、平面接合面にするか、又は、歯３２３及び外側リング部３２１の一方に形成される凸接合面３２２と、歯３２３及び外側リング部３２１の他方に形成される凹接合面３２４とを有する凹凸接合面にすることができる。各歯３２３は、溶接又は種々の機械的連結方法（例えば、鳩尾継手）によって、外側リング部３２１に固定連結することができることを理解されたい。代替実施形態では、歯３２３、外側リング部３２１、及び関連する磁極片３２５は、全て、別個に形成され、ステータ巻線３９が巻き付けられた後、歯３２３は、外側リング部３２１及び磁極片３２５に固定連結される。
【００４３】
[0058]
以上に例示した単相永久磁石モータでは、ステータコアの磁極片の内面及びロータの永久磁極の外面は、それぞれ、ロータの中心を中心とする２つの同心円上に位置することにより、ステータとロータとの間に、実質的に均一な空隙を形成する（「実質的に均一な空隙」という用語の理由は、スロット開口部３７に対応する領域の空隙の大きさは、他の部分に対応する領域の空隙の大きさに等しくなく、磁石端部の斜切面に対応する領域の空隙の大きさは、他の部分に対応する領域の空隙の大きさに等しくないが、空隙の全長において、スロット開口部及び磁石端部に対応する領域の空隙の大きさが占める割合は、非常に小さいからである）。スロット開口部の幅は、均一な空隙の厚さの４倍以下であることによって、従来技術の大きいスロット開口部及び不均一な空隙による振動及び騒音を低減する。ステータコアは分離構造を有し、歯及び外側リング部が組み付けられる前に、巻き付け工程を容易且つ効率的に行うことができるようになっている。これによって、巻き付け工程の効率を有利に向上させることができる。
【００４４】
[0059]
上記実施形態では、スロット開口部３７は、均一な周方向の幅を有する。代替例として、各スロット開口部３７は、不均一な幅を有することができ、例えば、内側が狭く、外側が広いトランペット形状を有することができることを理解されたい。この場合、スロット開口部３７の幅とは、スロット開口部の最小幅を指す。上記実施形態では、スロット開口部３７は、モータの軸方向に沿って形成される。代替例として、スロット開口部３７は、モータの軸方向からそれる方向に沿って形成することができる。
【００４５】
（第５の実施形態）
[0060]
上記実施形態では、隣接する歯３２３の隣接する磁極片３２５は、磁気ブリッジ３２７を介して連結することもできることを理解されたい。図１１に示すように、磁気ブリッジ３２７及び歯３２３の磁極片は、連結されて、内側リング部になる。歯及び外側リング部３２１は、別個に形成することができる。
【００４６】
（第６の実施形態）
[0061]
図１２は、ロータ５０の別の代替実施形態を示す例示詳細図である。図１２に示すように、磁極５６は、ロータの中心軸から不均一な距離だけ離れて配設される。換言すれば、磁極５６の外周面とロータ軸５１の中心軸との間の距離は、磁極５６の外周面の中心部から磁極５６の外周面の端部まで周方向に可変である。磁極５６の外周面とロータ軸５１の中心軸との間の距離は、外周面の中心部から外周面の端部まで小さくなる。その結果、ロータの磁極５６の外周面とステータの磁極片の内周面との間に形成される空隙は、磁極５６の外周面の端部よりも、磁極５６の外周面の中央部の方が小さくなることができる。例えば、半径方向において、外周面の端部の空隙１３０の幅及び外周面の中央部の空隙１３０の幅は、５：１〜１．５：１の比率を有することができる。磁極の外周面は、磁極の半径方向中央線に関して対称であることが好ましい。
【００４７】
[0062]
図１３〜図１５を参照すると、本考案は、更に、ヘアドライヤ１００を提供するものであり、ヘアドライヤ１００は、筐体７０と、筐体の内部に配設される、発熱装置７２０、給気装置７１０、及び制御装置（図示せず）とを含む。給気装置７１０は、上記の単相永久磁石モータ１０のいずれか１つと、インペラ７１１とを含む。インペラ７１１は、単相永久磁石モータ１０の電力出力端に接続される。
【００４８】
[0063]
給気装置７１０は、更に、モータホルダ９０及びモータカバー８０を含む。モータホルダ９０は、開口部９１が形成された一端を有する円筒形状を有する。モータホルダ９０の側壁には、複数の第１の開口９２が形成される。単相永久磁石モータ１０は、モータホルダ９０内に固定され、単相永久磁石モータの電力出力端は、モータホルダの閉塞端に配設される。モータカバー８０は、中空円筒体状の一端を含み、他端は、モータホルダ９０の開口部９１に連結され、モータホルダと協働して、ヘルムホルツ共振空胴を形成する。モータカバーには、複数の第２の開口８１が形成される。
【００４９】
[0064]
この実施形態では、モータホルダ９０及びモータカバー８０の材料は、感光性樹脂である。モータカバー８０の中空円筒体は、モータホルダ９０の開口部９１の直径よりも小さい直径を有する。更に、開口部を形成するモータホルダ９０の端部に、ロック部材９３が配設されて、モータホルダ９０とモータカバー８０とをロックする。モータホルダ９０及びモータカバー８０は、他の連結方法（例えば、ねじ連結であるが、これに限られない）で連結することができることを理解されたい。モータホルダ９０の外壁に、複数のエアガイドプレート７１２が配設されることが好ましい。
【００５０】
[0065]
発熱装置７２０は、３つ以上のヒータプレート７２１と、ヒータプレートの周囲に取り付けられるばね７２２とを含む。ヒータプレート７２１の２つの端部は、ばねに収容されず、ばねの圧縮方向に対して垂直な方向に延在することによって、ばね７２２がヒータプレートから抜け出るのを防止する。
【００５１】
[0066]
外部ハウジング７０は、互いに連結される第１のハウジング７１及び第２のハウジング７２を含む。第１のハウジング７１は、インペラ７１１を覆い、第２のハウジング７２は、給気装置７１０及び発熱装置７２０を覆う。外部ハウジング７０は、更に、電気ヘアドライヤの空気吹出し口として、第２のハウジング７２の末端に配設される底板７３を含む。外部ハウジング７０に、取っ手（図示せず）を設けることができる。必要な場合には、取っ手の一方の半体を第１のハウジング７１に配設し、他方の半体を第２の外部ハウジング７２に配設することができ、その後、これら２つの半体を互いに組み付ける。
【００５２】
[0067]
本考案は、１つ以上の好ましい実施形態を参照して説明されるが、当業者であれば種々の変更が可能であるものと理解される。したがって、本考案の範囲は、以下の実用新案登録請求の範囲を参照することにより決定されるべきである。
【符号の説明】
【００５３】
１０  単相モータ
２０  ステータ
２１  外部ハウジング
２３  エンドキャップ
２４  軸受
３０  ステータコア
３１  外側リング部
３３  歯
３４  歯本体
３５  磁極片
３７  スロット開口部
３８  斜切面
３９  ステータ巻線
４０  絶縁ブラケット
４１  空隙
５０  ロータ
５１  回転軸／ロータ軸
５３  ロータコア
５４  溝
５５  永久磁極／リング永久磁石
５６  磁極
６０  ロータ
６３  ロータコア
６４  溝
６５  永久磁極
６６  永久磁石
７０  筐体／外部ハウジング
７１  第１のハウジング
７２  第２のハウジング
７３  底板
８０  モータカバー
８１  第２の開口
９０  モータホルダ
９１  開口部
９２  第１の開口
９３  ロック部材
１００  ヘアドライヤ
１３０  空隙
３００  ステータコアユニット
３０１  ヨークセグメント
３０２  凹部
３０３  歯
３０４  突出部
３０５  磁極片
３１０  ステータコアユニット
３１１  ヨークセグメント
３１２  第１の斜切面
３１３  歯
３１４  第２の斜切面
３１５  磁極片
３２１  外側リング部
３２２  凸接合面
３２３  歯
３２４  凹接合面
３２５  磁極片
３２７  磁気ブリッジ
７１０  給気装置
７１１  インペラ
７１２  エアガイドプレート
７２０  発熱装置
７２１  ヒータプレート
７２２  ばね
Ｌ１，Ｌ２  半径方向中央線
Ｑ  起動角
【図１】
0003207419.tif 000003
【図２】
0003207419.tif 000004
【図３】
0003207419.tif 000005
【図４】
0003207419.tif 000006
【図５】
0003207419.tif 000007
【図６】
0003207419.tif 000008
【図７】
0003207419.tif 000009
【図８】
0003207419.tif 000010
【図９】
0003207419.tif 000011
【図１０】
0003207419.tif 000012
【図１１】
0003207419.tif 000013
【図１２】
0003207419.tif 000014
【図１３】
0003207419.tif 000015
【図１４】
0003207419.tif 000016
【図１５】
0003207419.tif 000017